(57)【要約】【課題】必要な防災用品があらかじめ収納され、しかも、災害時でも持ち出し易く、避難地では簡易テントに容易に変換でき極めて至便である避難用キャリングバッグを提供する。【解決手段】災害時に使用する発電機４０、蓄電器４１、簡易トイレ５等の防災用品６が収納されると共に移動できるように車輪９を備えた収納容器１と、収納容器１と一体に設けられ展開することにより簡易テント２が組み立てられるようにしたテント本体３とからなり、収納容器１は三次元方向に自在に伸縮する枠部材１４により枠組みされ、枠部材１４を三次元方向に伸張させると共にテント本体３を張設して覆うことにより簡易テント２が形成されるようにした。また、収納容器１の外周壁７ａ〜７ｅを分割し上下部で折畳み枠組みをして、収納容器１の上蓋４５をはめ込むことにより簡易トイレ５が形成されるようにした。【選択図】図２
2008029506.tif 000002
【特許請求の範囲】
【請求項１】
災害時に使用する発電機、蓄電器、簡易トイレ等の防災用品が収納されると共に移動できるように車輪を備えた収納容器と、前記収納容器に設けられ展開することにより簡易テントが組み立てられるテント本体とからなり、
前記収納容器は三次元方向に自在に伸縮する枠部材により枠組みれ、前記収納容器の外周壁を分割し前記枠部材を三次元方向に伸縮させると共に前記テント本体を張設してその枠部材を覆うことにより簡易テントが形成され、前記収納容器の外周壁を折畳み枠組みすることにより簡易トイレを形成されるようにしたことを特徴とする避難用キャリングバッグ。
【発明の詳細な説明】
【技術分野】
【０００１】
本発明は、主に家に備え付けられ、発電機、蓄電器、簡易トイレ等の防災用品が収納されると共に地震などの災害時には収納容器を広げて容易に簡易テント、簡易トイレに変換し得るようにした避難用キャリングバッグに関するものである。
【背景技術】
【０００２】
従来、地震などの災害が発生して家屋が倒壊してしまうと、安全な広い場所に急ぎ避難し、その場所で救援の来るのを待つことになる。そこで、これら避難者をしばらくの間収容しうる仮設テントが考え出されている（例えば、特許文献１参照。）。
【特許文献１】登録実用新案３０２７１９４号公報（第５−６頁、図１、図２）
【発明の開示】
【発明が解決しようとする課題】
【０００３】
しかしながら、前記特許文献１のような仮設テントがその場で緊急に用意でき形成できるのであれば喜ばしいことであるが、避難地によっては仮設テントを持った救援が到着するのに何日もかかる場合がある。その間、避難者は野宿のような生活を強いられ、雨の日や寒い日はこれらを凌ぐに苦労するばかりか不安になることも多い。
【０００４】
そこで、本発明は上記課題に鑑みてなされたもので、必要な防災用品があらかじめ収納され、しかも、災害時でも移動し易く避難地では容易に簡易テントに変換でき、救助が来るまでまたは来てからでもしばらくの間は一応生活ができるような利便性を備えた避難用キャリングバッグを提供することを目的とするものである。
【課題を解決するための手段】
【０００５】
係る目的を達成するため本発明の避難用キャリングバッグは、災害時に使用する発電機、蓄電器、簡易トイレ等の防災用品が収納されると共に移動できるように車輪を備えた収納容器と該収納容器に設けられ展開することにより簡易テントが組み立てられるテント本体とからなり、前記収納容器は三次元方向に自在に伸縮する枠部材により枠組みされ、収納容器の外周壁を分割し枠部材を三次元方向に伸縮させると共にテント本体を張設してその枠部材を覆うことにより簡易テントが形成され、前記収納容器の外周壁を折畳み枠組みすることにより簡易トイレを形成されるようにした構成からなる。
【発明の効果】
【０００６】
本発明の避難用キャリングバッグは、発電機、蓄電器、簡易トイレ等の防災用品が収納され、しかも、車輪を備えていることから移動が容易であって避難地では容易に簡易テントに変換できることから、災害時には救援を待つことなく自分で速やかに用意でき極めて至便であるという効果がある。また、このようにして救援が来るまでまたは来てからもしばらくの間は一応生活ができるので、災害に対する備えという点で安心感が得られるという効果もある。
【０００７】
また、一つの簡易テントに一家族が入ることが望ましく、これにより個人のプライバシーも守られ、精神的及び肉体的疲労を軽減することができるばかりか健康面の悪化も抑えられるという有益な効果がある。
【発明を実施するための最良の形態】
【０００８】
以下、本発明に係る避難用キャリングバッグの実施の形態を図面に基き説明する。図１は、本発明の斜視図、図２は同分解斜視図、図３は同中央下部縦断面図をそれぞれ示す。避難用キャリングバッグAは、上面が開口する直方体形状の収納容器１と、収納容器１に設けられた簡易テント２を構成するテント本体３、枠部材１４、底板１１と収納容器１内に収納され災害時に使用される防災用品６とから構成される。
【０００９】
収納容器１は、外周壁である前側壁７ａと後側壁７ｂと左右側壁７ｃ，７ｄと底壁７ｅとにより構成され、前後側壁７ａ，７ｂと左右側壁７ｃ，７ｄと底壁７ｅは二枚の軟質合成樹脂シート間に硬質合成樹脂板が封入され成型されている。この内、底壁７ｅは左右側壁７ｃ，７ｄと後側壁７ｂとの間で分割可能に設けられている。
【００１０】
外周壁である底壁７ｅ以外の前後側壁７ａ，７ｂと左右側壁７ｃ，７ｄは、上下部で折畳むことが可能で枠組みをして前側壁７ａと右側壁７ｄを繋ぐことにより簡易トイレ５の外周壁を形成できる。簡易トイレ５の外周壁上部に、収納容器１の上蓋４５が便座の役割を成し、はめ込むことにより簡易トイレ５として使用することが可能になる。
【００１１】
枠部材１４の支柱１５ａ，１５ｂの下部に軸受８が設けられ各軸受８に支軸１０が挿通されると共に支軸１０の両端部に車輪９が取着される。更に詳しく説明すると、図３、図４に示すように支軸１０の両端部に支軸１０と同一軸線上に位置して雄ねじ部１０ａが設けられる。一方、各車輪９の軸部９ａにはねじ孔９ｂが貫設され、雄ねじ部１０ａをねじ孔９ｂに螺合すると共に雄ねじ部１０ａにナット９ｃを螺締する。これにより、支軸１０に車輪９が取着される。なお、両車輪９は左右側壁７ｃ，７ｄの外側に位置するため、支軸１０の両端部は、左右側壁７ｃ，７ｄに開設された孔６２を介してその外側へ突出している。
【００１２】
路面上を引いて避難用キャリングバッグＡを移動させているとき、両車輪９の回転に伴い電気が蓄えられるようになっている。このため、底板１１の上面であって前端縁寄りに後記する小型の円筒形発電機４０が支軸１０と垂直に位置するよう配置されている。小型の円筒形発電機４０には、その一側面にタイミングプーリー６４が取着されている。タイミングプーリ６４と支軸１０に取着されたタイミングプーリ６３に円環状のタイミングベルト６６を取り付ける。そこで、車輪９が回転することにより支軸１０に取着されたタイミングプーリ６３が回転し、タイミングベルト６６に伝わり小型の円筒型発電機４０に取着されたタイミングプーリ６４も同時に回転するため、小型の円筒型発電機４０内に電気が起こりその電気がコード６８で繋がれた蓄電器４１に蓄えられる。
【００１３】
底壁７ｅの側縁は隣接する左右側壁７ｃ，７ｄと後側壁７ｂの一側縁にファスナー１３により着脱自在に連結されている。底板１１は、支柱１５ａ，１５ｂ，１５ｃ，１５ｄそれぞれの底部に貫通穴４９が設けられ、底板の4隅部に取着されたピン５０を嵌入することで枠部材１４に固定されている。底板１１の上面に前側の支軸１０に垂直の位置に、小型の円筒発電機４０の保持部４８が固定されている。また、保持部４８には支軸１０に平行になるように貫通孔５５が設けられ、その貫通孔５５に小型の円筒型発電機４０の軸５２が挿入されボルト５３で固定されている。また、収納容器１から底板１１を外に取り出すことができ、作動輪５６が取り付けられている板５４を、底板１１に締付けボルト５７で固定して、作動輪５６に取着されたタイミングプーリー６５と小型の円筒型発電機４０に取着されたタイミングプーリー６４に円環状のタイミングベルト６７を取り付ける。作動輪５６の外周縁に取着された折畳み自在なレバー５８を手で摘んで作動輪５６を回転させることによって電気が起こせるようになっている。
【００１４】
支柱１５a，１５bの上端縁に手で握ることができる把持部１２が上下に摺動自在に設けられ、この把持部１２を握り路面を転がして避難用キャリングバッグAを移動できるようになっている。前側壁７ａは、左側壁７ｃと底壁７ｅと連接される。また、前側壁７ａの一側縁であって右側縁７ｄと隣接する同側縁は面ファスナー２４により右側縁７ｄの一側縁に着脱自在に連結される。
【００１５】
左側壁７ｃは、前後側壁７ａ，７ｂと連接される。また、左側壁７ｃの下側縁は底壁７ｅの一側縁とファスナー１３により着脱自在に連結される。
【００１６】
後側壁７ｂは、左右側壁７ｃ，７ｄ、と連接される。また、後側壁７ｂの下側縁は底壁７ｅの一側縁とファスナー１３により着脱自在に連結される。
【００１７】
収納容器１内には、その内周面に簡易テント２の骨組となる枠部材１４が配置される。この枠部材１４は、収納容器１内の四隅部にそれぞれ位置する四本の支柱１５ａ〜１５ｄと、これら隣り合う支柱１５ａ，１５ｂ、支柱１５ｂ，１５ｃ、支柱１５ｃ，１５ｄ、支柱１５ｄ，１５ａ間に架設される折畳み自在な連結部材１６とからなる。そこで、すべての支柱１５ａ〜１５ｄ及び各連結部材１６はいずれも同じ構造を有することから、便宜上、図５に示すように支柱１５ａ、１５ｂとその間の連結部材１６について説明する。
【００１８】
支柱１５ａ，１５ｂは、それぞれパイプを三重に重ねた構成からなり上下方向へ自在に伸縮し、共に伸びた状態で固定できるようになっている。連結部材１６は、主として各支柱１５ａ，１５ｂ間に架設される二組の横杆対１９と二本の屋根杆２０とからなる。すなわち、各支柱１５ａ，１５ｂの上端に固定部材１７が設けられ、その下方に支柱１５ａ，１５ｂに嵌合して上下に摺動し得る可動部材１８が設けられる。そして、各組の横杆対１９はほぼ中央で交差すると共にその交差部で軸着され、しかも、自在に伸縮する構成からなる。また、各組の横杆対１９の内、一方の横杆１９の基端が各固定部材１７に軸着され、他方の横杆１９の基端が各可動部材１８に軸着される。各横杆１９の先端はそれぞれ相手方の組の対応位置する横杆１９の先端に軸着されている。
【００１９】
各屋根杆２０は、基端側の杆と先端側の杆をほぼ中央で突き合わせると共に突合せ部を軸着してなり、この軸着部を中心に下方へのみ折れ曲るように構成されている。そして、各屋根杆２０の基端は各固定部材１７に軸着され、先端は枠部材１４をテントとして使用できるように広げた状態でそのほぼ中央に位置する。それら先端は、別途用意した中央連結部材２９により一体に連結される。中央連結部材２９は一文字状に成形され、各屋根杆２０の先端部に中央連結部材２９の先端を嵌脱自在に嵌入する保持孔４７が開設される。なお、中央連結部材２９は、X字状になるよう各屋根杆２０の対角線上のそれぞれの保持孔４７に嵌入する。また、基端が各可動部材1８に軸着され、先端が、各屋根杆２０の基端側の杆の先端部に軸着されるようにして支持杆２１が設けられる。そこで、支柱１５ａ〜１５ｄをそれぞれ三段に伸ばし、それら間隔を広げると共に各可動部材１８を引き上げ、更に、各横杆１９及び屋根杆２０を伸ばす。これにより、簡易テント２の枠部材１４が組み立てられることになる。
【００２０】
テント本体３は、枠部材１４をテントとして使用できるように広げた状態で、その周側面を覆う大きさからなる。すなわち、テント本体３は、図６に示すように対角線状に配置された屋根杆２０の上面を覆う方形状の屋根布部２２ａを有し、屋根布部２２ａの前端縁に前側の支柱１５ａと支柱１５ｂとの間を覆う前布部２２ｂが連接される。また、屋根布部２２ａの後端縁に後側の支柱１５ｃと支柱１５ｄとの間を覆う後布部２２ｃが連接される。
【００２１】
更に、屋根布部２２ａの一側縁に支柱１５ａと支柱１５ｄとの間を覆う前布部２２ｂが連接され、屋根布部２２ａの他側縁に支柱１５ｂと支柱１５ｃとの間を覆う右布部２２ｅが連接されている。前布部２２ｂの中央部には、ファスナー２８に取着されたスライダー（図示せず。）をスライドすることにより開閉される扉２５を備えた出入り口２６が設けられている。テント本体３の側周縁にはファスナー２３が設けられ、これらファスナー２３に取着されたスライダー（図示せず。）をスライドすることにより前布部２２ｂ、後布部２２ｃ、左・右布部２２ｄ、２２ｅが着脱自在に連結される。
【００２２】
左布部２２ｄと右布部２２eの中央部には、ファスナー２８に取着されたスライダー（図示せず。）をスライドすることにより開閉される扉２５が設けられている。左布部２２ｄ、右布部２２eに備えられた扉２５を開放し、ファスナー２８を別のテント本体３の左布部２２d及び右布部２２eに設けられたファスナー２８と合わせ、取着されたスライダー（図示せず。）をスライドし閉じれば、複数のテント本体３が連結できる。
【００２３】
補助テント４は、縦支柱３１を左布部２２ｄの上縁部と補助布部３０の下縁部に取着された連結部材３４に、横支柱３２、底支柱３３は左布部２２ｄの下縁部に、取着された連結部材３４に嵌入し、各支柱に補助布部３０に取着されたフック３５をかければ補助テント４を組み立てられることになる。
【００２４】
防災用品６としては、例えば図２に示すように小型の円筒型発電機４０、蓄電器４１、照明器具４２、簡易トイレ５が用意されている。なお、図示は省略するがこれら以外に、例えば携帯用の簡易ストーブ、ラジオ、強力電灯、ボンベ式の簡易コンロ、鍋、食器セット、軍手、ラップフィルム、救急セット、使い捨てカイロ、万能シート、ティッシュペーパー、エアーマット、アルミブランケットなどを選択して、後側壁部に設けられたポケット７０に収納しても良い。また、個人的な必需品として、財布、印鑑などの貴重品を加えても良い。
【００２５】
本発明に係る避難用キャリングバッグAは上記構成からなり、次にその使用方法について説明する。常には、収納容器１内にテント本体３、小型の円筒型発電機４０、蓄電器４１、簡易トイレ５等の防災用品４を収納しておく。このようにして防災用品４が収納された避難用キャリングバッグAは、各家庭に一個備え付けておくことが好ましい。
【００２６】
そこで、例えば地震が発生して家屋が崩壊しその中に留まることができないかまたは留まることが危険な状態になったときは、避難用キャリングバグAを外へ持ち出す。そして、前側壁７ａの上端縁から把持部１２を上方へ引き出し、把持部１２を握り車輪９を回転しながら避難用キャリングバッグAを引いて近くの運動場など安全な場所へ移動する。
【００２７】
運動場では、まず収納容器１内から防災用品６を外へ出す。図７に示すように収納容器１における外周壁７a〜７eと枠部材１４とを分離する。また、枠部材１４の支柱１５ａ、１５ｂの各軸受８と左右側壁７ｃ，７ｄに開設された両端部の孔６２から支軸１０を抜いておく。この状態で、図８に示すように各支柱１５ａ〜１５ｄを上下方向へ三段に伸ばして固定する。そして、支柱１５ａを基点として支柱１５ｂ、支柱１５ｃ及び１５ｄをそれぞれ全体に方形枠状となるように移動させて広げる。同時に、各連結部材１６では、各組の横杆対１９を伸ばすと共に各屋根杆２０も伸ばす。各屋根杆２０の先端の保持孔４７に中央連結部材２９を嵌入して固定する。この状態で、テント本体３を広げ、屋根布部２２ａを放射状に配設された４本の屋根杆２０の上面に配置し、各布部を張設する。
【００２８】
また、前側の支柱１５ａと支柱１５ｂとの間で前布部２２ｂを張設し、前側の支柱１５aと左側の支柱１５ｄとの間に左布部２２ｄと張設し前布部２２ｂと左布部２２ｄとの付き合わせ端縁をファスナー２３により連結する。同様に、前側の支柱１５ｂと右側の支柱１５ｃとの間及び後側の支柱１５ｃと支柱１５ｄとの間でも右布部２２eと後布部２２ｃを張設して、これら２２ｃ，２２ｄの周側縁と２２ｃ，２２eの周側縁と前布部２２ｂ、右布部２２ｅの周側縁とをファスナー２３により連結する。それに、補助布部３０を張設し、各支柱を各布部に取着された補助連結部材３４に嵌入し、各支柱に補助布部３０に取着されたフック３５をかける。これにより、図９に示すように簡易テント２が完成する。
【００２９】
小型の円筒型発電機４０は蓄電器４１に電気的に接続されており、避難用キャリングバッグAを引いて路面上を移動している間に車輪９の回転と共に取着されたタイミングプーリ６４が回転し小型の円筒型発電機４０によって電気が起こされる。そして、この電気は蓄電器４１に蓄えられるので、簡易テント２を組立てた後でもすぐに電気が使用できる。また、蓄電量が少ないときは、作動輪５６を手で回転させることにより電気を蓄えることができる。蓄電器４１はDC出力端子５９が１個、AC出力端子６０が１個、照明器具４２用の端子１個が設けられている。よって、例えば、DC出力端子５９は携帯充電器（図示せず。）に接続でき、AC出力端子６０はパソコン等の小容量電化製品（図示せず。）接続できる。
【００３０】
このように、臨時的ではあるが簡易テント２と共に電気、ガス、水、食料といった最小限生活に必要なものは揃っており、しばらくの間は簡易テントでの生活が送れることになる。
【００３１】
余震も収まり簡易テント２での生活が終れば、各ファスナー２３のスライダーをスライドさせ左右布部２２ｄ，２２ｅと前後布部２２ｂ，２２ｃなどを分離して、テント本体３を畳む。また、中央連結部材２９を外して各屋根杆２０を折り畳むと共に各連結部材１６を折り畳み、各支柱１５ａ〜１５ｄを縮めて元の長さに納める。更に、各支柱１５ａ〜１５ｄを元の各隅角部に位置させ、その周囲に前後側壁７ａ，７ｂ・左右側壁７ｃ，７ｄ・底壁７ｅを配置すると共にファスナー１３のスライダーをスライドさせ互いに連結させる。また、前側壁７ａの一側縁であって右側縁７ｄと隣接する同側縁は面ファスナー２４により右側縁７ｄの一側縁に連結して収納容器１を形成する。収納容器１内には、底板１１の上面に前記のように蓄電器４１と一体の小型の円筒型発電機４０を固定すると共に照明器具４２、簡易トイレ５等の他に防災用品６を収納する。また、各軸受８に支軸１０を挿通して支軸１０の両端部に車輪９を取着する。そして、避難用キャリングバッグAを引いて帰路に着く。
【００３２】
また、一つの簡易テント２に一つの家族が入ることが望ましく、これにより個人のプライバシーも守られ、精神的及び肉体的疲労が軽減されるばかりか健康面の悪化も押えられる。
【００３３】
本発明に係る避難用キャリングバッグAは、その大きさや形状を設置する場所の大きさや条件に合わせて調整することもでき、本実施の形態で説明した運動場の他に屋外や体育館等の避難施設内に設置するようにしても良い。また、この避難用キャリングバッグAは、被災者のみならず例えば自衛隊・警察等救助を行なう側が利用することもできる。
【図面の簡単な説明】
【００３４】
【図１】本発明に係る避難用キャリングバッグの斜視図。
【図２】同分解斜視図。
【図３】同中央下部縦断面図。
【図４】同車輪部位の拡大平面断面図。
【図５】枠部材部位の側面図。
【図６】テント本体の展開平面図。
【図７】簡易テントの組立手順を示す避難用キャリングバッグの斜視図。
【図８】簡易テントの組立手順を示す避難用キャリングバッグの斜視図。
【図９】簡易テントの組立完成図。
【図１０】外周壁の展開平面図。
【図１１】簡易トイレの組立完成図。
【符号の説明】
【００３５】
１                収納容器  
２                簡易テント
３                テント本体
４                補助テント
５                簡易トイレ
６                防災用品
７a〜７e        外周壁（前後側壁・左右側壁・底壁）
９                車輪
１４              枠部材
４０              発電機
４１              蓄電器
４５              上蓋
A                避難用キャリングバッグ
【図１】
2008029506.tif 000003
【図２】
2008029506.tif 000004
【図３】
2008029506.tif 000005
【図４】
2008029506.tif 000006
【図５】
2008029506.tif 000007
【図６】
2008029506.tif 000008
【図７】
2008029506.tif 000009
【図８】
2008029506.tif 000010
【図９】
2008029506.tif 000011
【図１０】
2008029506.tif 000012
【図１１】
2008029506.tif 000013